(57)【特許請求の範囲】
【請求項１】
根元が台座に支持された旗竿を安定に起立させるための補助具であって、
前記台座を出し入れ可能な三角柱体からなり、
前記三角柱体は、底面に相当する面の間を結ぶ三辺のうちの一つの辺に形成された、前記旗竿を挿入可能な少なくとも一つの第一孔部を有しており、前記第一孔部と対向する側面の内側面上に前記台座を配置可能である、
旗竿の起立補助具。
【請求項２】
前記三角柱体は、前記第一孔部を有する前記辺を形成する少なくとも一つの側面の外側面が表示面に設定されている、請求項１に記載の旗竿の起立補助具。
【請求項３】
前記三角柱体は、底面に相当する面の頂角が実質的に直角に設定された二等辺三角形に形成されており、前記頂角を形成する二つの側面が合わさる辺に前記第一孔部を有し、前記第一孔部と対向する側面に前記旗竿を挿入可能な少なくとも一つの第二孔部をさらに有している、請求項１または２に記載の旗竿の起立補助具。
【請求項４】
前記三角柱体は、前記第一孔部と対向する側面の外側面が表示面に設定されている、請求項３に記載の旗竿の起立補助具。
【請求項５】
前記三角柱体は、底面に相当する面の間を結ぶ三辺のうちの一つの辺を形成する二つの側面が分離可能であり、二つの前記側面を分離したときに平面状に展開可能である、請求項１から４のいずれかに記載の旗竿の起立補助具。
【発明の詳細な説明】
【技術分野】
【０００１】
本発明は、旗竿の起立補助具、特に、根元が台座に支持された旗竿を安定に起立させるための補助具に関する。
【背景技術】
【０００２】
コンビニエンスストア、スーパーマーケット、ガソリンスタンド、パチンコ店、住宅展示場および各種のイベント会場などにおいて、広告や案内表示の手段として旗（のぼり旗）が多用されている。このような旗は、通常、旗竿に取りつけられており、また、旗竿は、根元部分が台座により支持されて起立するように設置される。
【０００３】
旗竿を支持するための台座として、特許文献１には、中心部に旗竿の根元を挿入可能な穴が上下方向に形成された水タンク式のものが記載されている。この台座は、貯蔵した水の重量により所定場所に安定に設置され、また、穴に挿入された旗竿の根元を支持して旗竿を起立させることができる。
【０００４】
【特許文献１】特開２００４−２０５７９５公報
【０００５】
この台座により旗竿を安定に支持して起立させるためには、台座の高さを高くして旗竿の根元の相当部分が穴内に挿入されるように設定する必要がある。ところが、この種の台座は、高さを高くすると、それに伴う不安定感を解消するために底面を大きく設定する必要があり、また、貯蔵する水の量を増す必要もあるため、大型になって取扱いが困難になる。また、このような台座は、旗竿を安定に支持するという機能的な目的を重視したものであって見栄えを追求したものではないため、多数設置されると設置された場所の美観を損なうことにもなる。
【発明の開示】
【発明が解決しようとする課題】
【０００６】
本発明の目的は、旗竿を支持するための台座を隠蔽するとともに、旗竿を安定に起立させることにある。
【課題を解決するための手段】
【０００７】
本発明は、根元が台座に支持された旗竿を安定に起立させるための補助具に関するものである。この起立補助具は、台座を出し入れ可能な三角柱体からなり、この三角柱体は、底面に相当する面の間を結ぶ三辺のうちの一つの辺に形成された、旗竿を挿入可能な少なくとも一つの第一孔部を有しており、当該第一孔部と対向する側面の内側面上に台座を配置可能である。
【０００８】
三角柱体は、旗竿を起立させる所定場所において、第一孔部と対向する側面により設置される。こうして設置された三角柱体は、その内部において、第一孔部と対向する側面の内側面上に台座が配置される。これにより、台座は三角柱体内に隠蔽される。そして、旗竿の根元を第一孔部から三角柱体内に挿入して台座で支持させると、旗竿は、根元が台座により支持され、同時に、根元の上部も第一孔部において支持される。したがって、この起立補助具を用いると、旗竿は、台座と第一孔部の二点において支持されることになり、安定に起立する。
【０００９】
本発明の起立補助具において、三角柱体は、例えば、第一孔部を有する辺を形成する少なくとも一つの側面の外側面が表示面に設定されている。この表示面に広告や各種の案内などの表示をすると、旗の設置場所は、旗による広告や案内に加え、起立補助具の表示面の表示によっても広告や案内がされるため、広告効果や案内効果が簡単に高められる。
【００１０】
また、本発明の起立補助具において、三角柱体は、例えば、底面に相当する面の頂角が実質的に直角に設定された二等辺三角形に形成されており、当該頂角を形成する二つの側面が合わさる辺に第一孔部を有し、第一孔部と対向する側面に旗竿を挿入可能な少なくとも一つの第二孔部をさらに有している。
【００１１】
この起立補助具を用いると、旗竿は、既述のように、台座と第一孔部の二点において支持されることになり、安定に起立する。また、この起立補助具の三角柱体は、底面に相当する面の頂角を形成する二つの側面のうちの一つの側面により所定場所に設置することもできる。こうして設置された三角柱体は、その内部において、設置された側面の内側面上に台座が配置される。これにより、台座は三角柱体内に隠蔽される。そして、旗竿の根元を第二孔部から三角柱体内に挿入して台座で支持させると、旗竿は、根元が台座により支持され、同時に、根元の上部も第二孔部において支持される。したがって、この起立補助具を用いる場合、旗竿は、台座と第一孔部の二点または台座と第二孔部の二点のいずれかにおいて支持されることになり、安定に起立する。ここで、三角柱体の底面に相当する面の頂角を形成する二つの側面は、第一孔部と対向する側面よりも面積が小さいため、所定場所において占有面積を小さくすることができる。
【００１２】
なお、上述のように底面に相当する面が二等辺三角形に形成された三角柱体は、例えば、第一孔部と対向する側面の外側面が表示面に設定されている。第一孔部と対向する側面は他の側面よりも面積が大きく広告や各種の案内などの表示を強調することができるため、上述のようにこの三角柱体の他の側面を設置面とし、台座と第二孔部の二点において旗竿を支持するようにすれば、広告効果や案内効果をさらに高めることができる。
【００１３】
本発明の起立補助具において、三角柱体は、通常、底面に相当する面の間を結ぶ三辺のうちの一つの辺を形成する二つの側面が分離可能であり、二つの当該側面を分離したときに平面状に展開可能であるのが好ましい。この起立補助具は、不使用時に平面状に展開させることができるため、保管場所の確保が容易である。
【発明の効果】
【００１４】
本発明に係る旗竿の起立補助具は、上述のような三角柱体からなるため、旗竿を支持するための台座を隠蔽することができるとともに、旗竿を安定に起立させることができる。
【発明を実施するための最良の形態】
【００１５】
図１から図４を参照して、本発明の実施の一形態に係る旗竿の起立補助具を説明する。図において、起立補助具１は、互いに独立した第一側面１０ａ、第二側面１０ｂおよび第三側面１０ｃの三つの側面を有し、底面に相当する面が開口した三角柱体１０からなる。各側面１０ａ，１０ｂ，１０ｃは、後述する旗竿の台座を内面に配置可能な大きさの長方形の板状に形成されている。三角柱体１０の各底面に相当する面は、図２（側面図）に示すように、第三側面１０ｃを底辺とし、第一側面１０ａと第二側面１０ｂとが合わさることで形成される頂角の内角αが実質的に直角に設定された直角二等辺三角形に形成されている。
【００１６】
三角柱体１０において、底面に相当する面の間を結ぶ三つの辺１１ａ，１１ｂ，１１ｃのうちの一つの辺である、第一側面１０ａと第二側面１０ｂとが合わさる辺１１ａは、図３（平面図）に示すように、長さ方向の中央部に第一孔部１２が形成されている。第一孔部１２は、貫通孔であり、後述する旗竿の根元を三角柱体１０の内部へ挿入するためのものである。
【００１７】
また、三角柱体１０は、図４（底面図）に示すように、第一孔部１２と対向する側面、すなわち第三側面１０ｃの中央部に第二孔部１３を有している。第二孔部１３は、貫通孔であり、第一孔部１２と同じく後述する旗竿の根元を三角柱体１０の内部へ挿入するためのものである。
【００１８】
三角柱体１０において、第一側面１０ａと第三側面１０ｃとの間および第二側面１０ｂと第三側面１０ｃとの間は、蝶番１４により連結されている。また、第二側面１０ｂは、第一側面１０ａと合わさる側の長辺において、第一側面１０ａと第二側面１０ｂとを接合するための接合片１５が蝶番１６により取り付けられている。蝶番１６は、第二側面１０に対して内角が略直角になるよう接合片１５を固定可能である。接合片１５は、第一側面１０ａと平面ファスナーにより着脱可能に接合されている。
【００１９】
三角柱体１０からなる起立補助具１は、各側面１０ａ，１０ｂ，１０ｃ間が蝶番１４により連結されており、また、第二側面１０ｂと接合片１５とが蝶番１６により連結されているため、平面ファスナーによる接合片１５と第一側面１０ａとの接合を解除し、それによって第一側面１０ａと第二側面１０ｂとを分離すると、図５に示すような平面状に展開可能である。平面状に展開された起立補助具１において、第一側面１０ａの表面（図の表面）には、接合片１５との接合側の端縁において、平面ファスナーの例えばループ面１７ａが貼着されている。一方、接合片１５の裏面（図の裏面）には、平面ファスナーのフック面１７ｂがループ面１７ａと対応する位置に貼着されている。また、第一側面１０ａにおいて、接合片１５との接合側の端縁の中央部には第一孔部１２を形成する半円状の第一切り欠き１２ａが形成されており、また、第二側面１０ｂから接合片１５にかけて、第一切り欠き１２ａと対応する位置には、第一切り欠き１２ａととともに第一孔部１２を形成する楕円状の第二切り欠き１２ｂが形成されている。
【００２０】
なお、三角柱体１０の各側面１０ａ，１０ｂ，１０ｃおよび接合片１５を形成する材料は、形状を安定に維持することができるものであれば特に限定されるものではなく、例えば、金属、樹脂およびダンボールなどである。
【００２１】
次に、起立補助具１の使用方法の第一形態を説明する。
図６に、この形態で起立補助具１を用いて旗竿２０を設置した状態を示す。この使用形態において、起立補助具１は、三角柱体１０の第三側面１０ｃにより所定場所の表面に配置され、三角柱体１０の内部において、第三側面１０ｃの内面の中央部に旗竿用の台座３０が配置される。これにより、台座３０は、三角柱体１０の第一側面１０ａおよび第二側面１０ｂにより隠蔽された状態になる。ここで利用可能な台座３０は特に限定されるものではなく、通常は、旗竿２０の根元を起立状態で挿入可能な挿入穴３１を中心部に有する容器状のものであり、内部に水や砂などの重量物を充填可能なものである。台座３０は、平面状に展開された起立補助具１を三角柱体１０へ組み立てるときに、予め第三側面１０ｃの内面上に配置しておくことで三角柱体１０内に配置することができるが、組み立てられた起立補助具１の側面（三角柱体１０の底面に相当する面）の開口から挿入して三角柱体１０内に配置することもできる。
【００２２】
旗竿２０は、第一孔部１２から三角柱体１０内に根元が挿入され、挿入された根元は台座３０の挿入穴３１に挿入される。これにより、旗竿２０は、根元が台座３０により支持されて起立し、また、風で揺れたりしても根元の上部が第一孔部１２の内周の一部に当接する。したがって、旗竿２０は、台座３０および第一孔部１２の二点で支持されることになり、安定に起立する。
【００２３】
上述のようにして用いられる起立補助具１は、第一孔部１２を形成する第一側面１０ａおよび第二側面１０ｂのいずれか一方または両方の外側面が、図７に示すように、広告や各種の案内の表示面２５として設定されて活用されてもよい。この場合、起立補助具１の使用場所は、旗竿２０の旗による広告や案内に加え、表示面２５によっても広告や案内がされることになるため、広告効果や案内効果が簡単に高められる。特に、図７に一点鎖線で示すように、多数の起立補助具１を並べて多数の旗竿２０を起立させる場合は、各起立補助具１の表示面２５が集合して大きな面積の表示面が形成されることになるため、広告効果や案内効果をより有効に高めることができる。
【００２４】
次に、上述の起立補助具１の使用方法の第二形態を説明する。
図８に、この形態で起立補助具１を用いて旗竿２０を設置した状態を示す。この使用方法において、起立補助具１は、三角柱体１０の第一側面１０ａにより所定場所の表面に配置され、三角柱体１０の内部において、第一側面１０ａの内面に台座３０が配置される。これにより、台座３０は、三角柱体１０の第二側面１０ｂおよび第三側面１０ｃにより隠蔽された状態になる。そして、旗竿２０は、第二孔部１３から三角柱体１０内に根元が挿入され、挿入された根元は台座３０の挿入穴３１に挿入される。これにより、旗竿２０は、根元が台座３０により支持されて起立し、また、風で揺れたりしても根元の上部が第二孔部１３の内周の一部に当接する。したがって、旗竿２０は、台座３０および第二孔部１３の二点で支持されることになり、安定に起立する。
【００２５】
起立補助具１は、第三側面１０ｃよりも第一側面１０ａの面積が小さいため、この形態で使用すれば、第一の形態で使用する場合よりも設置場所での占有面積を小さくすることができる。特に、図９に一点鎖線で示すように、多数の起立補助具１を並べてこの形態で使用する場合、第一形態で使用する場合に比べて設置場所での起立補助具１による占有面積を大幅に小さくすることができる。したがって、この起立補助具１は、設置する側面を選択することで、設置面積が限られた場所においても有効に使用することができる。
【００２６】
なお、この使用形態の場合、起立補助具１は、図９に示すように、第一孔部１２と対向する側面である第三側面１０ｃの外側面が上述のような表示面２５に設定されて活用されるのが好ましい。第三側面１０ｃは、他の側面１０ａ，１０ｂよりも面積が大きいため、広告や各種の案内などの表示を強調することができ、広告効果や案内効果をより高めることができる。
【００２７】
起立補助具１は、上述のいずれの使用形態においても、図７および図９に一点鎖線で示すように多数を並べて使用する場合は、それによって設置場所に適当な区画を形成することができる。例えば、コンビニエンスストアやパチンコ点の入口付近において、駐輪禁止場所を確保する必要がある場合、所要の範囲に起立補助具１を並べて設置すれば、自転車による侵入が困難なバリケード状の区画を容易に形成することができる。
【００２８】
起立補助具１は、不使用時に第一側面１０ａと接合片１５との接合を解除して図５に示すような平面状に展開すれば、例えば複数個を重ねて収納することができるため、保管場所の確保が容易である。
【００２９】
上述の起立補助具１は、例えば、次のような変形が可能である。
（１）第一側面１０ａと接合片１５とは、平面ファスナー以外の接合手段、例えば、ベルトやフックを用いて分離可能なように接合することもできる。また、第一側面１０ａと接合片１５との接合は、分離可能に設定されていなくてもよい。この場合、第一側面１０ａと接合片１５とは、例えば接着剤やリベット等を用いて接合し、固定することができる。
（２）三角柱体１０において第二孔部１３は設けなくてもよい。この場合、三角柱体１０の底面に相当する面は、直角二等辺三角形に設定する必要はなく、起立補助具１を安定に設置できる三角形状に設定されていればよい。
（３）三角柱体１０は、容易に折り曲げ可能な材料、例えば樹脂板やダンボール板などにより形成される場合、各側面１０ａ，１０ｂ，１０ｃが互いに独立している必要はなく、一枚の長方形の板材を折り曲げて形成したものであってもよい。この場合、一枚の板材に折り曲げ部を形成して各側面１０ａ，１０ｂ，１０ｃおよび接合片１５に対応する面を形成し、また、所定個所に第一孔部１２および第二孔部１３を形成するための切り欠きや穿孔を設ける。そして、この板材を折り曲げ部で折り曲げながら三角柱体１０に組み上げ、平面ファスナーなどの接合手段により第一側面１０ａと接合片１５とを接合する。
（４）三角柱体１０は、複数個の台座３０を並べて配置できる大きさのものであれば、第一孔部１２および第二孔部１３をそれぞれ複数個有していてもよい。この場合、一つの起立補助具１により、二本以上の旗竿を安定に起立させることができる。
【図面の簡単な説明】
【００３０】
【図１】本発明の実施の一形態に係る起立補助具の斜視図。
【図２】前記起立補助具の側面図。
【図３】前記起立補助具の平面図。
【図４】前記起立補助具の底面図。
【図５】前記起立補助具の展開図。
【図６】前記起立補助具の第一形態に係る使用状態の断面図。
【図７】前記起立補助具の第一形態に係る使用状態の斜視図。
【図８】前記起立補助具の第二形態に係る使用状態の断面図。
【図９】前記起立補助具の第二形態に係る使用状態の斜視図。
【符号の説明】
【００３１】
１  起立補助具
１０  三角柱体
１０ａ  第一側面
１０ｂ  第二側面
１０ｃ  第三側面
１１ａ，１１ｂ，１１ｃ  辺
１２  第一孔部
１３  第二孔部
２０  旗竿
２５  表示面
３０  台座
【図１】
0004649488.tif 000002
【図２】
0004649488.tif 000003
【図３】
0004649488.tif 000004
【図４】
0004649488.tif 000005
【図５】
0004649488.tif 000006
【図６】
0004649488.tif 000007
【図７】
0004649488.tif 000008
【図８】
0004649488.tif 000009
【図９】
0004649488.tif 000010